(57)【特許請求の範囲】
【請求項１】
式（Ｉ）
（Ｘ）Ｗ（Ｙ）                                
（Ｉ）                                    
により規定され、式中、
・Ｘが０又は５を示し、
・Ｙが４〜２０の範囲の整数を示す
ＳＡＥＪ３００分類に従った等級の潤滑組成物であって、
（ａ）ＡＳＴＭ  Ｄ４４５標準に従って１００℃で測定した場合に、動粘度が１．５〜８ｍｍ2／ｓの範囲である、少なくとも１つのポリアルファオレフィン油（ＰＡＯ）と、
（ｂ）ＡＳＴＭ  Ｄ４４５標準に従って１００℃で測定した場合に、動粘度が１．５〜８ｍｍ2／ｓの範囲である、前記組成物の１０〜８０ｗｔ％の少なくとも１つのグループＶの油と、
（ｃ）３つの側鎖が５０個以上の炭素原子を含み、かつ、少なくとも１つのポリオレフィンと少なくとも１つのポリ（アルキル）メタクリレートとのコポリマー；少なくとも１つのポリオレフィンと少なくとも１つのポリ（アルキル）アクリレートとのコポリマーから選択される、少なくとも１つの櫛型ポリマーと
を含み、
前記少なくとも１つのグループＶの油が、
式（Ｂ１）
【化１】
0006799006.tif 000031
のモノエステルであって、式中、
・Ｒ1が、１４〜２４個の炭素原子を含む、直鎖状又は分枝状の、飽和又は不飽和の炭化水素基を示し、
・Ｒ2が、２〜１８個の炭素原子を含む、直鎖状又は分枝状の、飽和又は不飽和の炭化水素基を示す
モノエステルと、
式（Ｂ２）
【化２】
0006799006.tif 000032
のポリアルキレングリコール（ＰＡＧ）であって、式中、
・Ｒ3が、直鎖状又は分枝状のＣ1〜Ｃ30アルキル基を示し、
・ｍ及びｎが、独立して、１〜５の範囲の平均数を示す
ポリアルキレングリコール（ＰＡＧ）とから選択され、
前記ポリアルファオレフィン油（ＰＡＯ）（ａ）と前記グループＶの油（ｂ）との間の重量比（ａ／ｂ）が、０．１〜４の範囲である、潤滑組成物。
【請求項２】
０Ｗ４、０Ｗ８、０Ｗ１２、０Ｗ１６、０Ｗ２０、５Ｗ４、５Ｗ８、５Ｗ１２、５Ｗ１６、５Ｗ２０から選択される、ＳＡＥＪ３００分類に従った等級の、請求項１に記載の潤滑組成物。
【請求項３】
ＡＳＴＭ  Ｄ４４５標準に従って４０℃で測定した場合に、動粘度が１２〜３０ｍｍ2／ｓの範囲である、請求項１又は２に記載の潤滑組成物。
【請求項４】
前記ＰＡＯの動粘度が、ＡＳＴＭ  Ｄ４４５標準に従って１００℃で測定した場合に、１．５〜６ｍｍ2／ｓ、又は２〜８ｍｍ2／ｓ、又はさらに２〜６ｍｍ2／ｓの範囲である、請求項１〜３のいずれか１項に記載の潤滑組成物。
【請求項５】
前記ＰＡＯの平均重量分子量が５００Ｄａ未満であるか、又は５０〜５００Ｄａの範囲であるか、又は５０〜３５０Ｄａ若しくは５０〜３００Ｄａの範囲である、請求項１〜４のいずれか１項に記載の潤滑組成物。
【請求項６】
前記組成物の２０〜８０ｗｔ％、３０〜６０ｗｔ％、又は３５〜４５ｗｔ％の前記グループＶの油を含む、請求項１〜５のいずれか１項に記載の潤滑組成物。
【請求項７】
前記櫛型ポリマーが、オレフィンの重合又は共重合により得られる側鎖を含む、請求項１〜６のいずれか１項に記載の潤滑組成物。
【請求項８】
前記櫛型ポリマーが、
式（Ｃ２）
【化３】
0006799006.tif 000033
のオレフィン系モノマーであって、式中、
・Ｑ3が、直鎖状又は分枝状のＣ2〜Ｃ8アルキル基、Ｃ3〜Ｃ8シクロアルキル基、Ｃ6〜Ｃ10アリール基を示し、
・Ｑ4が、水素原子又はメチル基を示し、
・Ｌ1が、ブタジエンの１，４付加体の残基；少なくとも１つのＣ1〜Ｃ6アルキル基で置換されたブタジエンの１，４付加体の残基；スチレンのビニル付加体の残基；少なくとも１つのＣ1〜Ｃ6アルキル基で置換されたスチレンのビニル付加体の残基を示し、
・Ｌ2が、ブタジエンのビニル付加体の残基；Ｃ1〜Ｃ6アルキル基で置換されたブタジエンのビニル付加体の残基；スチレンのビニル付加体の残基；少なくとも１つのＣ1〜Ｃ6アルキル基で置換されたスチレンのビニル付加体の残基を示し、
・ｋ及びｊが、独立して、０又は１〜３０００の範囲の整数を示し、合計（ｋ＋ｊ）が、７〜３０００の範囲の整数である
オレフィン系モノマーと、
式（Ｃ３）
【化４】
0006799006.tif 000034
のアルキルアクリル酸エステル又はアルキルメタクリル酸エステルのモノマーであって、式中、
・Ｑ5が、水素原子又はメチル基を示し、
・Ｑ6が、直鎖状又は分枝状のＣ1〜Ｃ26アルキル基を示す
アルキルアクリル酸エステル又はアルキルメタクリル酸エステルのモノマーとの共重合により調製された、請求項１〜７のいずれか１項に記載の潤滑組成物。
【請求項９】
前記櫛型ポリマーが、
式（Ｃ４）
【化５】
0006799006.tif 000035
のオレフィン系モノマーであって、式中、
・Ｑ7がＣ1〜Ｃ6アルキル基、Ｃ6アリール基を示し、
・Ｑ8が、水素原子又はメチル基を示し、
・Ｑ9、Ｑ10及びＱ11が、独立して、水素原子又はＣ1〜Ｃ18アルキル基を示し、
・ｘ、ｙ及びｚが、独立して、０又は１〜３０００の範囲の整数を示し、合計（ｘ＋ｙ＋ｚ）が、７〜３０００の範囲の整数である
オレフィン系モノマーと、
式（Ｃ３）
【化６】
0006799006.tif 000036
のアルキルアクリル酸エステル又はアルキルメタクリル酸エステルのモノマーであって、式中、
・Ｑ5が、水素原子又はメチル基を示し、
・Ｑ6が、直鎖状又は分枝状のＣ1〜Ｃ26アルキル基を示す
アルキルアクリル酸エステル又はアルキルメタクリル酸エステルのモノマーとの共重合により調製された、請求項１〜８のいずれか１項に記載の潤滑組成物。
【請求項１０】
ＶＩが２２０超である、請求項１〜９のいずれか１項に記載の潤滑組成物。
【請求項１１】
車両エンジンの潤滑のための、又は、欧州サイクルＮＥＤＣに従った市街地モードの際の車両エンジンの潤滑を改善するための、請求項１〜１０のいずれか１項に記載の潤滑組成物の使用。
【請求項１２】
車両エンジンの潤滑のための、又は、欧州サイクルＷＬＴＰに従った市街地モードの際の車両エンジンの潤滑を改善するための、請求項１〜１０のいずれか１項に記載の潤滑組成物の使用。
【請求項１３】
車両エンジンの潤滑のための、又は、欧州サイクルＥＣＥに従ったコールドモードの際の車両エンジンの潤滑を改善するための、請求項１〜１０のいずれか１項に記載の潤滑組成物の使用。
【請求項１４】
ハイブリッド車両のエンジンを潤滑するための、請求項１１〜１３のいずれか１項に記載の使用。
【請求項１５】
潤滑剤の燃料節約（ＦＥ）を改善するための、又は、エンジンの燃料消費を低減するための、請求項１〜１０のいずれか１項に記載の潤滑組成物の使用。
【発明の詳細な説明】
【技術分野】
【０００１】
本発明は、自動車のための潤滑組成物の分野に関する。本発明は、式（Ｘ）Ｗ（Ｙ）であって、式中、Ｘが０又は５を示し、Ｙが４〜２０の範囲の整数を示す式によって規定されるＳＡＥＪ３００分類に従った等級の潤滑組成物を提供する。この潤滑組成物は、少なくとも１つのポリアルファオレフィン油（ＰＡＯ）と、組成物の１０〜８０ｗｔ％の少なくとも１つのグループＶの油と、少なくとも１つの櫛型ポリマーとを含む。本発明はまた、潤滑剤の燃料節約（Ｆｕｅｌ  Ｅｃｏ）（ＦＥ）を改善するための、又はエンジン、特に自動車エンジン、特にハイブリット車両のエンジンの燃料消費を低減するためのこの潤滑組成物の使用に関する。
【背景技術】
【０００２】
高性能の潤滑剤に対するニーズが増加している。特に、それは、過酷さが増加した使用条件、例えば、極めて高い温度又は極めて高い機械負荷のためである。
【０００３】
油交換の間隔をあけること及び潤滑系のサイズを低減することはまた、高性能の潤滑剤のニーズを増加させる。
【０００４】
エネルギー効率、特に、潤滑剤の燃料節約（ＦＥ）の改善又はエンジン、特に車両エンジンの燃料消費の低減は、ますます重要な目標になっており、高性能の潤滑剤の使用を増加させている。
【０００５】
したがって、高性能の潤滑剤は、特に、動粘度、粘度指数、揮発性、粘度、又は低温流動点に関する改善した性能を有するべきである。
【０００６】
熱的安定性及び耐酸化性はまた、高性能の潤滑剤について改善されるべき特性である。
【０００７】
毒性の低減、及び他の潤滑剤又は他の材料との混和性はまた、高性能の潤滑剤について求められる特性である。
【０００８】
これらのニーズは、特に、エンジン内の摩擦プロセスの低減に関する、ハイブリッド車両のエンジンの潤滑の際に特に増加する。使用条件の改善、例えば、特に操作温度の改善はまた、特にエンジンの温度の増加の際に、対象とされるべきである。
【０００９】
自動車エンジンのエネルギー効率を摩擦プロセスの低減により改善するために、エンジン潤滑剤は、より高い粘度等級の流体で使用することができる。この事実は、世界の大都市の多くの市街地の道でよく見られるように、低温サイクル下でエンジンが作動する場合に、よりいっそう重要である。そして、このニーズは、ハイブリッドエンジンのために、よりいっそう重要である。粘度等級の低減を超えて、他の解決策により、エンジンの潤滑によって提供されるＦＥの利益を増加させることができる。
【００１０】
エンジンのための潤滑組成物はまた、エンジンの清浄度を改善することができるべきである。潤滑組成物はまた、自動車産業により設定された制限に準拠すべきである。
【発明の概要】
【発明が解決しようとする課題】
【００１１】
したがって、最新の潤滑剤の問題の全て又は一部に対する解決策を提供することができる高性能の潤滑剤についてのニーズが存在している。
【課題を解決するための手段】
【００１２】
したがって、本発明は、式（Ｉ）
（Ｘ）Ｗ（Ｙ）                                
（Ｉ）                                    
により規定され、式中、
・Ｘが０又は５を示し、
・Ｙが４〜２０の範囲の整数を示す
ＳＡＥＪ３００分類に従った等級の潤滑組成物であって、
（ａ）ＡＳＴＭ  Ｄ４４５標準に従って１００℃で測定した場合に、動粘度が１．５〜８ｍｍ2／ｓの範囲である、少なくとも１つのポリアルファオレフィン油（ＰＡＯ）と、
（ｂ）ＡＳＴＭ  Ｄ４４５標準に従って１００℃で測定した場合に、動粘度が１．５〜８ｍｍ2／ｓの範囲である、組成物の１０〜８０ｗｔ％の少なくとも１つのグループＶの油と、
（ｃ）側鎖が５０個以上の炭素原子を含み、かつ、少なくとも１つのポリオレフィンと少なくとも１つのポリ（アルキル）メタクリレートとのコポリマー；少なくとも１つのポリオレフィンと少なくとも１つのポリ（アルキル）アクリレートとのコポリマーから選択される、少なくとも１つの櫛型ポリマーと
を含む、潤滑組成物を提供する。
【００１３】
本発明に係る潤滑組成物は、特に有利な粘度等級を有する。本発明に係る潤滑組成物の粘度等級は、特に、
・式（ＩＩ）又は（ＩＩＩ）
０Ｗ（Ｙ）                          ５Ｗ（Ｙ）                  
（ＩＩ）                          （ＩＩＩ）                    
により規定され、式中、Ｙは４〜２０の範囲、特に４〜１６又は４〜１２の範囲の整数を示されるＳＡＥＪ３００分類に従った等級と、
・式（ＩＶ）又は（Ｖ）
（Ｘ）Ｗ８                          （Ｘ）Ｗ１２                  
（ＩＶ）                              （Ｖ）                      
により規定され、式中、Ｘは０又は５を示すＳＡＥＪ３００分類に従った等級とから選択することができる。
【００１４】
好ましくは、本発明に係る潤滑組成物のＳＡＥＪ３００分類に従った等級は、０Ｗ４、０Ｗ８、０Ｗ１２、０Ｗ１６、０Ｗ２０、５Ｗ４、５Ｗ８、５Ｗ１２、５Ｗ１６、５Ｗ２０の中から選択される。より好ましくは、本発明に係る潤滑組成物は、０Ｗ１２のＳＡＥＪ３００に従った等級を有する。
【００１５】
また好ましくは、本発明に係る潤滑組成物におけるＡＳＴＭ  Ｄ４４５標準に従って４０℃で測定した動粘度は、１２〜３０ｍｍ2／ｓ、好ましくは１４〜２５ｍｍ2／ｓの範囲である。
【００１６】
本発明に係る組成物は、少なくとも１つのポリアルファオレフィン（ＰＡＯ）と、組成物の１０〜８０ｗｔ％の少なくとも１つのグループＶの油と、少なくとも１つの櫛型ポリマーとを含む。
【００１７】
好ましくは、本発明に係る潤滑組成物は、ＡＳＴＭ  Ｄ４４５標準に従って１００℃で測定した場合に、動粘度が、１．５〜６ｍｍ2／ｓ、又は２〜８ｍｍ2／ｓ、又はさらに２〜６ｍｍ2／ｓの範囲であるＰＡＯを含む。
【００１８】
ＰＡＯの平均重量分子量は、極めて大きく変化することがある。好ましくは、ＰＡＯの平均重量分子量は、５００Ｄａ未満である。ＰＡＯの平均重量分子量はまた、５０〜５００Ｄａ、５０〜３５０Ｄａ、又はさらに５０〜３００Ｄａの範囲であることができる。
【００１９】
また好ましくは、本発明に係る潤滑組成物は、低重量のＰＡＯ、特に、ＡＳＴＭ  Ｄ４４５標準に従って１００℃で測定した場合に、動粘度が、３〜４ｍｍ2／ｓであり、かつ、５０ｗｔ％超の９−メチル−１１−オクチルヘンイコサンの式（Ａ）の１−デセントリマーを含むＰＡＯを含む。
【化１】
0006799006.tif 000002
【００２０】
ＰＡＯに加えて、本発明に係る潤滑組成物は、潤滑組成物の１０〜８０ｗｔ％の範囲の量でグループＶの油を含む。好ましくは、本発明に係る潤滑組成物は、組成物の２０〜８０ｗｔ％、２０〜６０ｗｔ％、２０〜５０ｗｔ％、３０〜８０ｗｔ％、３０〜６０ｗｔ％、３０〜５０ｗｔ％の範囲のグループＶの油を含む。より好ましくは、本発明に潤滑組成物は、組成物の３５〜４５％、例えば４０ｗｔ％のグループＶの油を含む。
【００２１】
また好ましくは、本発明に係る潤滑組成物は、モノエステル、ジエステル、ポリエステル、エストリド、ポリアルキレングリコール（ＰＡＧ）の中から選択されるグループＶの油を含む。好ましくは、グループＶの油は、モノエステル又はポリアルキレングリコール（ＰＡＧ）の中から選択される。
【００２２】
好ましいモノエステルとしては、式（Ｂ１）
【化２】
0006799006.tif 000003
のモノエステルであって、式中、
・Ｒ1が、１４〜２４個の炭素原子を含む、飽和又は不飽和の、直鎖状又は分枝状の炭化水素基を示し、
・Ｒ2が、２〜１８個の炭素原子を含む、直鎖状又は分枝状の、飽和又は不飽和の炭化水素基を示す
モノエステルを挙げることができる。
【００２３】
より好ましいモノエステルとしては、式（Ｂ１）のモノエステルであって、式中、
・Ｒ1が飽和基であり、Ｒ2が不飽和基であるか、又は
・Ｒ1が不飽和基であり、Ｒ2が飽和基であるか、又は
・Ｒ1及びＲ2が飽和基であるか、又は
・Ｒ1及びＲ2が不飽和基である
モノエステルか、又はさらに、
式（Ｂ１）の１つのモノエステルであって、式中、
・Ｒ1が、１４〜２０個の炭素原子、好ましくは１４〜１８個の炭素原子、より好ましくは１６〜１８個の炭素原子を含む、直鎖状又は分枝状の、飽和又は不飽和の炭化水素基を示すか、又は
・Ｒ2が、３〜１４個の炭素原子、好ましくは４〜１２個の炭素原子、より好ましくは４〜１０個の炭素原子を含む、直鎖状又は分枝状の、飽和又は不飽和の炭化水素基を示すか、又は
・Ｒ1が直鎖状基であり、Ｒ2が分枝状基であるか、又は
・Ｒ1が分枝状基であり、Ｒ2が直鎖状基であるか、又は
・Ｒ1及びＲ2が直鎖状基であるか、又は
・Ｒ1及びＲ2が分枝状基である
モノエステルを挙げることができる。
【００２４】
特に好ましいモノエステルとしては、式（Ｂ１）のモノエステルであって、Ｒ1のみ、Ｒ2のみ、又はＲ1及びＲ2が、
・直鎖状飽和基
・１〜５個の分枝状鎖を含む分枝状飽和基
・分枝状鎖が１〜５個の炭素原子を含む分枝状飽和基
・１〜５個の分枝状鎖を含み、分枝状鎖が１〜５個の炭素原子を含む分枝状飽和基
から選択されるモノエステルを挙げることができる。
【００２５】
好ましいモノエステルの例としては、
・ステアリン酸塩、好ましくは、ステアリン酸アルキル及びステアリン酸アルケニル、より好ましくは、Ｃ4〜Ｃ10のステアリン酸アルキル、特に、ステアリン酸ブチル、ステアリン酸ペンチル、ステアリン酸ヘキシル、ステアリン酸ヘプチル、ステアリン酸オクチル、ステアリン酸ノニル、ステアリン酸デシル；
・オレイン酸塩、好ましくは、オレイン酸アルキル及びオレイン酸アルケニル、より好ましくは、Ｃ4〜Ｃ10のオレイン酸アルキル、特に、オレイン酸ブチル、オレイン酸ペンチル、オレイン酸ヘキシル、オレイン酸ヘプチル、オレイン酸オクチル、オレイン酸ノニル、オレイン酸デシル
を挙げることができる。
【００２６】
好ましいモノエステルの例としては、アルケンモノエステル及びアルキルモノエステル、好ましくはＣ2〜Ｃ10のアルキルモノエステル、特に、エチルモノエステル、プロピルモノエステル、ブチルモノエステル、ペンチルモノエステル、ヘキシルモノエステルをまた挙げることができる。
【００２７】
好ましいポリアルキレングリコール（ＰＡＧ）としては、式（Ｂ２）
【化３】
0006799006.tif 000004
のＰＡＧであって、式中、
・Ｒ3が、直鎖状及び分枝状Ｃ1〜Ｃ30アルキル基を示し、
・ｍ及びｎが、独立して、１〜５の範囲の平均数を示す
ＰＡＧを挙げることができる。
【００２８】
好ましくは、式（Ｂ２）のＰＡＧについて、Ｒ3が、直鎖状Ｃ8アルキル基、分枝状Ｃ8アルキル基、直鎖状Ｃ9アルキル基、分枝状Ｃ9アルキル基、直鎖状Ｃ10アルキル基、分枝状Ｃ10アルキル基、直鎖状Ｃ11アルキル基、分枝状Ｃ11アルキル基、直鎖状Ｃ12アルキル基、分枝状Ｃ12アルキル基、直鎖状Ｃ13アルキル基、分枝状Ｃ13アルキル基、直鎖状Ｃ14アルキル基、分枝状Ｃ14アルキル基、直鎖状Ｃ15アルキル基、分枝状Ｃ15アルキル基の中から選択される基を示す。
【００２９】
また好ましくは、式（Ｂ２）のＰＡＧについて、
・ｍがｎ以上であるか、又は
・ｍが２〜４．５の範囲の平均数、特に２〜３．５の範囲の平均数を示すか、又は
・ｎが１．５〜４の範囲の平均数、特に１．５〜３の範囲の平均数を示す。
【００３０】
より好ましくは、式（Ｂ２）のＰＡＧについて、ｍが２．５の平均数を示し、ｎが２の平均数を示すか、又は、ｍが３．５の平均数を示し、ｎが２．８の平均数を示す。
【００３１】
有利には、本発明に係る潤滑組成物について、式（Ｂ２）のＰＡＧは、
・ＡＳＴＭ  Ｄ４４５標準に従って１００℃で測定した場合に、２．５〜４．５ｍｍ2／ｓである動粘度、又は
・１６０超、又は１６０〜２１０に含まれる粘度指数、又は
・−４０℃未満の流動点、又は
・ＡＳＴＭ  Ｄ５２９３標準に従って−３５℃で測定した場合に、１２００ｍＰａ・ｓ未満の粘度（ＣＣＳ）
を有する。
【００３２】
好ましい例示のＰＡＧは、式（Ｂ２）のＰＡＧであって、ｍが２．５の平均数を示し、ｎが２の平均数を示し、ＡＳＴＭ  Ｄ４４５標準に従って１００℃で測定した場合に、動粘度が２．５〜３．５ｍｍ2／ｓであり、粘度指数が１６０〜１８０に含まれ、流動点が−４０℃未満であり、ＡＳＴＭ  Ｄ５２９３標準に従って−３５℃で測定した場合に、粘度（ＣＣＳ）が５００ｍＰａ・ｓ未満であるＰＡＧである。
【００３３】
別の好ましい例示のＰＡＧは、式（Ｂ２）のＰＡＧであって、ｍが３．５の平均数を示し、ｎが２．８平均数を示し、ＡＳＴＭ  Ｄ４４５標準に従って１００℃で測定した場合に、動粘度が３．５〜４．５ｍｍ2／ｓであり、粘度指数が１８０〜２１０に含まれ、流動点が−５０℃未満であり、ＡＳＴＭ  Ｄ５２９３標準に従って−３５℃で測定した場合に、粘度（ＣＣＳ）が１２００ｍＰａ・ｓ未満であるＰＡＧである。
【００３４】
別のポリアルキレングリコール（ＰＡＧ）としては、式（Ｂ３）のブロックポリマー又は式（Ｂ３）のランダムポリマーであって、
【化４】
0006799006.tif 000005
式中、
・Ｒ4が、直鎖状又は分枝状のＣ1〜Ｃ30アルキル基、好ましくは直鎖状又は分枝状のＣ8〜Ｃ12アルキル基を示し、
・ｐが２〜６０、好ましくは５〜３０又は７〜１５の範囲の数を示し、
・Ｒ5及びＲ6が、同一であるか又は異なっており、独立して、水素原子又はＣ1〜Ｃ2アルキル基を示す
ブロックポリマー又はランダムポリマーを挙げることができる。
【００３５】
他の特定のポリアルキレングリコール基（ＰＡＧ）としては、
式（Ｂ４）のブロックポリマー又は式（Ｂ４）のランダムポリマーであって、
【化５】
0006799006.tif 000006
式中、
・Ｒ4が、直鎖状又は分枝状のＣ1〜Ｃ30アルキル基、好ましくは直鎖状又は分枝状のＣ8〜Ｃ12アルキル基を示し、
・ｑが２〜６０、好ましくは５〜３０又は７〜１５の範囲の数であり、
・Ｒ7及びＲ8が水素原子を示すか；又はＲ7が水素原子を示し、Ｒ8がメチル基を示すか；又はＲ7がメチル基を示し、Ｒ8が水素を示すか；Ｒ7及びＲ8がメチル基を示すか；又はＲ7がエチル基を示し、Ｒ8が水素原子を示すか；又はＲ7が水素原子を示し、Ｒ8がエチル基を示す
ブロックポリマー又はランダムポリマーと；
式（Ｂ５）のブロックポリマー又は式（Ｂ５）のランダムポリマーであって、
【化６】
0006799006.tif 000007
・Ｒ4が、直鎖状又は分枝状のＣ1〜Ｃ30アルキル基、好ましくは直鎖状又は分枝状のＣ8〜Ｃ12アルキル基を示し、
・ｒ及びｔが、独立して、１〜３０、好ましくは２〜１５又は２〜８の範囲の数を示し、
・Ｒ9及びＲ10が水素原子を示すか；又はＲ9が水素原子を示し、Ｒ10がメチル基を示すか；又はＲ9がメチル基を示し、Ｒ10が水素を示すか；又はＲ9及びＲ10がメチル基を示すか；又はＲ9がエチル基を示し、Ｒ10が水素原子を示すか；又はＲ9が水素原子を示し、Ｒ10がエチル基を示し、
・Ｒ11及びＲ12が水素原子を示すか；又はＲ11が水素原子を示し、Ｒ12がメチル基を示すか；又はＲ11がメチル基を示し、Ｒ12が水素を示すか；又はＲ11及びＲ12がメチル基を示すか；又はＲ11がエチル基を示し、Ｒ12が水素原子を示すか；又はＲ11が水素原子を示し、Ｒ12がエチル基を示す
ブロックポリマー又はランダムポリマーとを挙げることができる。
【００３６】
他の特定のポリアルキレングリコール（ＰＡＧ）基のように、式（Ｂ６）のブロックポリマー又は式（Ｂ６）のランダムポリマーであって、
【化７】
0006799006.tif 000008
式中、
・Ｒ13が、直鎖状又は分枝状のＣ8〜Ｃ12アルキル基を示し、
・ｖが２〜６の範囲の数を示し、
・ｗが２〜５の範囲の数を示す
ブロックポリマー又はランダムポリマーを挙げることができる。
【００３７】
ＰＡＯ及びグループＶの油に加えて、本発明に係る潤滑組成物は櫛型ポリマーを含む。
【００３８】
好ましくは、櫛型ポリマーは、オレフィンの重合又は共重合により得られる側鎖を含む。より好ましくは、櫛型ポリマーは、８〜１７個の炭素原子を含むオレフィン、特に、スチレン、置換スチレン、１，４付加のブタジエン、１，２付加のブタジエン、式（Ｃ１）の化合物であって、
【化８】
0006799006.tif 000009
式中、Ｑ1及びＱ2が、独立して、水素原子又はＣ1〜Ｃ18アルキル基を示す式（Ｃ１）の化合物の中から選択されるオレフィンの重合又は共重合により得られる側鎖を含む。
【００３９】
より好ましくは、櫛型ポリマーは、
式（Ｃ２）のオレフィン系モノマーであって、
【化９】
0006799006.tif 000010
式中、
・Ｑ3が、直鎖状又は分枝状のＣ2〜Ｃ8アルキル基、Ｃ3〜Ｃ8シクロアルキル基、Ｃ6〜Ｃ10アリール基を示し、
・Ｑ4が、水素原子又はメチル基を示し、
・Ｌ1が、ブタジエンの１，４付加体の残基；少なくとも１つのＣ1〜Ｃ6アルキル基で置換されたブタジエンの１，４付加体の残基；スチレンのビニル付加体の残基；少なくとも１つのＣ1〜Ｃ6アルキル基で置換されたスチレンのビニル付加体の残基を示し、
・Ｌ2が、ブタジエンのビニル付加体の残基；少なくとも１つのＣ1〜Ｃ6アルキル基で置換されたブタジエンのビニル付加体の残基、スチレンのビニル付加体の残基；少なくとも１つのＣ1〜Ｃ6アルキル基で置換されたスチレンのビニル付加体の残基を示し、
・ｋ及びｊが、独立して、０又は１〜３０００の範囲の整数を示し、合計（ｋ＋ｊ）が、７〜３０００の範囲、１０〜３０００の整数である
オレフィン系モノマーと、
式（Ｃ３）のアクリル酸アルキルエステル又はメタクリル酸アルキルエステルのモノマーであって、
【化１０】
0006799006.tif 000011
式中、
・Ｑ5が、水素原子又はメチル基を示し、
・Ｑ6が、直鎖状又は分枝状のＣ1〜Ｃ26アルキル基を示す
アクリル酸アルキルエステル又はメタクリル酸アルキルエステルのモノマーとの共重合により調製される。
【００４０】
より好ましくは、Ｑ3がフェニル基又は直鎖状若しくは分枝状のブチル基、特に、ｎ−ブチル基を示す。
【００４１】
より特に好ましくは、櫛型ポリマーは、
式（Ｃ４）のオレフィン系モノマーであって、
【化１１】
0006799006.tif 000012
式中、
・Ｑ7がＣ1〜Ｃ6アルキル、Ｃ6アリール基を示し、
・Ｑ8が、水素原子又はメチル基を示し、
・Ｑ9、Ｑ10及びＱ11が、独立して、水素原子又はＣ1〜Ｃ18アルキル基を示し、
・ｘ、ｙ及びｚが独立して、０か又は１〜３０００の範囲の整数を示し、合計（ｘ＋ｙ＋ｚ）が、７〜３０００の範囲、好ましくは１０〜３０００の範囲の整数である
オレフィン系モノマーと、
式（Ｃ３）のアクリル酸アルキルエステル又はメタクリル酸アルキルエステルのモノマーであって、
【化１２】
0006799006.tif 000013
式中、
・Ｑ5が、水素原子又はメチル基を示し、
・Ｑ6が、直鎖状又は分枝状のＣ1〜Ｃ26アルキル基を示す
アクリル酸アルキルエステル又はメタクリル酸アルキルエステルのモノマーとの共重合により調製される。
【００４２】
より好ましくは、Ｑ7がフェニル基又は直鎖状若しくは分枝状のブチル基、特に、ｎ−ブチル基を示す。
【００４３】
より特に好ましくは、櫛型ポリマーは、
式（Ｃ５）のオレフィン系モノマーであって、
【化１３】
0006799006.tif 000014
式中、
・Ｑ8が、水素原子又はメチル基を示し、
・ｘ及びｙが、独立して０又は１〜３０００の範囲の整数を示し、合計（ｘ＋ｙ）が、７〜３０００の範囲、好ましくは１０〜３０００の範囲の整数である
オレフィン系モノマーと、
式（Ｃ３）のアクリル酸アルキルエステル又はメタクリル酸アルキルエステルのモノマーであって、
【化１４】
0006799006.tif 000015
式中、
・Ｑ5が、水素原子又はメチル基を示し、
・Ｑ6が、直鎖状又は分枝状のＣ1〜Ｃ26アルキル基を示す
アクリル酸アルキルエステル又はメタクリル酸アルキルエステルのモノマーとの共重合により調製される。
【００４４】
櫛型ポリマーの例は、製品Ｖｉｓｃｏｐｌｅｘ  ３−２００（Ｅｖｏｎｉｋ  Ｃｏｒｐｏｒａｔｉｏｎ）である。
【００４５】
本発明に係る潤滑組成物の範囲において、（ａ）ＰＡＯ、（ｂ）グループＶの油、及び（ｃ）櫛型ポリマーの各々の量を変えることができる。好ましくは、（ａ）ポリアルファオレフィン油（ＰＡＯ）と、（ｂ）グループＶの油との間の重量比（ａ／ｂ）は、０．１〜４、好ましくは０．３〜３．６の範囲である。
【００４６】
本発明に係る潤滑組成物は、特に高いＶＩを有する。好ましくは、本発明に係る潤滑組成物のＶＩは２２０超である。より好ましくは、本発明に係る潤滑組成物のＶＩは２５０超、又はさらに２７０超若しくは３００超である。
【発明を実施するための形態】
【００４７】
一般的に、本発明に係る潤滑組成物は、その使用に適合した他の基油、鉱物、合成又は天然の、動物性又は植物性の油を含むことができる。
【００４８】
本発明に係る潤滑組成物中で使用される基油は、ＡＰＩ分類により規定された分類に従ったグループＩ〜Ｖの属する鉱物又は合成起源の油（又はＡＴＩＥＬ分類に従ったそれらの等価物）（表Ａ）、又はそれらの混合物であることができる。
【００４９】
【表１】
0006799006.tif 000016
【００５０】
本発明に係る鉱物基油は、原油の常圧蒸留及び真空蒸留を行い、その後、溶媒での抽出、脱歴、溶媒での脱ろう、水素処理、水素化分解、水素異性化及び水素精製のような精製作業を行うことで得られた全てのタイプのベースを含む。
【００５１】
合成油及び鉱物油の混合物をまた使用することができる。
【００５２】
一般的に、本発明に係る潤滑組成物を製造するための異なる潤滑ベースの使用に関しては、それらが、エンジン又は車両変速機のための使用に適した、特に粘度特性、粘度指数、硫黄含有量、耐酸化性のような特性を有さなければならないことを除いては、制限は存在しない。
【００５３】
本発明に係る潤滑組成物の基油はまた、合成油、例えば、カルボン酸及びアルコールの幾つかのエステルと、ポリアルファオレフィンとから選択することができる。基油として使用されるポリアルファオレフィンは、例えば、４〜３２個の炭素原子を含むモノマー、例えば、オクテン又はデセンから得られ、その１００℃での粘度は、ＡＳＴＭ  Ｄ４４５標準に従って１．５〜１５ｍｍ2／ｓに含まれる。それらの平均分子量は、一般的に、ＡＳＴＭ  Ｄ５２９６標準に従って２５０〜３０００に含まれる。
【００５４】
本発明に係る潤滑組成物は、組成物の全体質量に対して、５０ｍａｓｓ％以上の基油を含むことができる。より有利には、本発明に係る潤滑組成物は、組成物の全体質量に対して、６０ｍａｓｓ％以上、又はさらに７０ｍａｓｓ％以上の基油を含む。より特に有利には、本発明に係る潤滑組成物は、組成物の全体質量に対して、７５〜９９．９ｍａｓｓ％の基油を含むことができる。
【００５５】
本発明はまた、本発明に係る少なくとも１つの潤滑組成物と、少なくとも１つの基油と、少なくとも１つの添加剤とを含む、車両エンジンのための潤滑組成物を提供する。
【００５６】
多くの添加剤を、本発明に係るこの潤滑組成物のために使用することができる。
【００５７】
本発明に係る潤滑組成物のための好ましい添加剤は、洗剤添加剤、耐摩耗添加剤、摩擦改質添加剤、極圧添加剤、分散剤、流動点向上剤、消泡剤、増粘剤、及びそれらの混合物から選択される。
【００５８】
好ましくは、本発明に係る潤滑組成物は、少なくとも１つの耐摩耗添加剤、少なくとも１つの極圧添加剤、又はそれらの混合物を含む。
【００５９】
耐摩耗添加剤及び極圧添加剤は、摩擦表面を、これらの表面上に吸着した保護膜を形成することによって、保護する。
【００６０】
多くの種類の耐摩耗添加剤が存在している。好ましくは、本発明に係る潤滑組成物については、耐摩耗添加剤は、リン−硫黄添加剤から選択され、例えば、アルキルチオリン酸金属、特にアルキルチオリン酸亜鉛、より具体的には、ジアルキルジチオリン酸亜鉛又はＺｎＤＴＰである。好ましい化合物は、式Ｚｎ（（ＳＰ（Ｓ）（ＯＲ）（ＯＲ’））2であり、式中、Ｒ及びＲ’は、同一であるか又は異なっており、独立して、アルキル基、好ましくは１〜１８個の炭素原子を含むアルキル基を示す。
【００６１】
リン酸アミンはまた、本発明に係る潤滑組成物中で使用することができる耐摩耗添加剤である。しかしながら、これらの添加剤によりもたらされるリンは、これらの添加剤が灰を生成するため、自動車の触媒系に対して毒として作用することがある。リン酸アミンを、例えば、ポリ硫化物、特に硫黄含有オレフィンのようなリンを提供しない添加剤と部分的に置換することで、これらの影響を最小化することができる。
【００６２】
有利には、本発明に係る潤滑組成物は、潤滑組成物の全体質量に対して、０．０１〜６ｍａｓｓ％、好ましくは０．０５〜４ｍａｓｓ％、より好ましくは０．１〜２ｍａｓｓ％の耐摩耗添加剤及び極圧添加剤を含むことができる。
【００６３】
有利には、本発明に係る潤滑組成物は、少なくとも１つの摩擦改質添加剤を含むことができる。摩擦改質添加剤は、金属元素を提供する化合物及び灰を含まない化合物から選択することができる。金属元素を提供する化合物の中から、Ｍｏ、Ｓｂ、Ｓｎ、Ｆｅ、Ｃｕ、Ｚｎのような遷移金属の錯体を挙げることができ、その配位子は、酸素、窒素、硫黄又はリン原子を含む炭化水素化合物であることができる。灰を含まない摩擦改質添加剤は、一般的に有機起源のものであり、かつ、脂肪酸モノエステル、及びポリオール、アルコキシル化アミン、アルコキシル化脂肪族アミン、脂肪族エポキシド、ホウ酸脂肪族エポキシド、脂肪族アミン又は脂肪酸グリセロールのエステルから選択することができる。
【００６４】
本発明によれば、脂肪族化合物は、１０〜２４個の炭素原子を含む少なくとも１つの炭化水素基を含む。
【００６５】
有利には、本発明に係る潤滑組成物は、潤滑組成物の全体質量に対して、０．０１〜２ｍａｓｓ％又は０．０１〜５ｍａｓｓ％、好ましくは０．１〜１．５ｍａｓｓ％又は０．１〜２ｍａｓｓ％の摩耗改質添加剤を含むことができる。
【００６６】
有利には、本発明に係る潤滑組成物は、少なくとも１つの酸化防止添加剤を含むことができる。
【００６７】
酸化防止添加剤は、一般的に、使用中の潤滑組成物の劣化を遅らせることができる。この劣化は、特に、堆積物の形成、スラッジの存在、又は潤滑組成物の粘度の増加によって表すことができる。
【００６８】
酸化防止添加剤は、特に、ラジカル抑制剤又はヒドロペルオキシド破壊剤として作用する。近年使用されている酸化防止添加剤の中から、フェノール系酸化防止添加剤、アミン系酸化防止添加剤、リン−硫黄含有酸化防止添加剤を挙げることができる。これらの酸化防止添加剤の幾つか、例えば、リン−硫黄含有酸化防止添加剤は、灰を作り出すものであることがある。フェノール系酸化防止添加剤は、灰を含まないことができるか、又は中性若しくは塩基性の金属塩の形態であることができる。酸化防止添加剤は、特に、立体障害フェノール、立体障害フェノールエステル、及びチオエーテル架橋を含む立体障害フェノール、ジフェニルアミン、少なくとも１つのＣ1〜Ｃ12アルキル基で置換されたジフェニルアミン、Ｎ，Ｎ’−ジアルキルアリールジアミン、並びにそれらの混合物から選択することができる。
【００６９】
好ましくは、本発明によれば、立体障害フェノールは、アルコール機能を含む炭素に近接した少なくとも１つの炭素がＣ1〜Ｃ10アルキル基、好ましくはＣ1〜Ｃ6アルキル基、好ましくはＣ4アルキル基、好ましくはｔｅｒ−ブチル基で置換された、フェノール基を含む化合物から選択される。
【００７０】
アミノ化化合物は、任意選択でフェノール系酸化防止添加剤と組み合わせて使用することができる、別分類の酸化防止添加剤である。アミノ化化合物の例は、芳香族アミン、例えば、式ＮＲaＲbＲcの芳香族アミンであり、式中、Ｒaは、任意選択で置換された、脂肪族基又は芳香族基を示し、Ｒbは、任意選択で置換された芳香族基を示し、Ｒcは、水素原子、アルキル基、アリール基、又は式ＲdＳ（Ｏ）zＲeの基を示し、式中、Ｒdは、アルキレン基又はアルケニレン基を示し、Ｒeは、アルキル基、アルケニル基又はアリール基を示し、ｚは０、１又は２を示す。
【００７１】
硫黄含有フェノールアルキル又はそれらのアルカリ金属塩及びアルカリ土類金属塩をまた、酸化防止添加剤として使用することができる。
【００７２】
別分類の酸化防止添加剤は、銅含有化合物のものであり、例えば、チオ−又はジチオ−リン酸銅、カルボン酸の銅塩、ジチオカルバミン酸塩、スルホン酸塩、フェノール酸塩、銅アセチルアセトナートである。銅Ｉ及びＩＩの塩、無水物又はコハク酸塩をまた使用することができる。
【００７３】
本発明に係る潤滑組成物は、当業者に公知の任意のタイプの酸化防止添加剤を含有することができる。
【００７４】
有利には、潤滑組成物は、灰を含まない少なくとも１つの酸化防止添加剤を含む。
【００７５】
また有利には、本発明に係る潤滑組成物は、組成物の全体質量に対して、０．１〜２ｗｔ％の少なくとも１つの酸化防止添加剤を含む。
【００７６】
本発明に係る潤滑組成物はまた、少なくとも１つの洗剤添加剤を含むことができる。
【００７７】
洗剤添加剤は、一般的に、二次酸化生成物及び消費生成物の溶解による金属部の表面での堆積物の形成を低減することができる。
【００７８】
本発明に係る潤滑組成物中で使用することができる洗剤添加剤は、一般的に当業者に公知である。洗剤添加剤は、長い疎水性炭化水素鎖及び親水性頭部を含むアニオン性化合物であることができる。関連カチオンは、アルカリ又はアルカリ土類金属の金属カチオンであることができる。
【００７９】
洗剤添加剤は、好ましくは、カルボン酸のアルカリ金属又はアルカリ土類金属の塩、スルホン酸塩、サリチル酸塩、ナフタレン酸塩、並びにフェノール酸塩から選択される。アルカリ及びアルカリ土類金属は、好ましくは、カルシウム、マグネシウム、ナトリウム又はバリウムである。
【００８０】
これらの金属塩は、一般的に、化学量論的量の金属、又はそれ以上の金属、したがって化学量論的量超の量の金属を含む。次いで、これらは過塩基性洗剤添加剤であり、そして、洗剤添加剤に過塩基性を提供する過剰金属は、一般的に、油中で不溶性の金属塩の形態、例えば、炭酸塩、水酸化物、シュウ酸塩、酢酸塩、グルタミン酸塩、好ましくは炭酸塩の形態である。
【００８１】
有利には、本発明に係る潤滑組成物は、潤滑組成物の全体質量に対して、０．５〜８ｗｔ％又は２〜４ｗｔ％の洗剤添加剤を含むことができる。
【００８２】
また有利には、本発明に係る潤滑組成物はまた、少なくとも１つの流動点降下剤を含むことができる。
【００８３】
パラフィン結晶の形成を遅らせることにより、流動点降下剤は、一般的に、本発明に係る潤滑組成物の低温挙動を改善する。
【００８４】
流動点降下剤の例としては、アルキルポリメタクリレート、ポリアクリレート、ポリアリールアミド、ポリアルキルフェノール、ポリアルキルナフタレン、アルキルポリスチレンを挙げることができる。
【００８５】
有利には、本発明に係る潤滑組成物はまた、分散剤を含むことができる。
【００８６】
分散剤は、マンニッヒ塩基、スクシンイミド、及びそれらの誘導体から選択することができる。
【００８７】
また有利には、本発明に係る潤滑組成物は、潤滑組成物の全体質量に対して、０．２〜１０ｍａｓｓ％の分散剤を含むことができる。
【００８８】
有利には、潤滑組成物はまた、粘度指数を改善する少なくとも１つの追加のポリマーを含むことができる。粘度指数を改善する追加のポリマーの例としては、ポリマーエステル、スチレン、ブタジエン及びイソプレンの水素化された又は水素化されていないホモポリマー又はコポリマー、ポリメタクリレート（ＰＭＡ）を挙げることができる。また有利には、本発明に係る潤滑組成物は、潤滑組成物の全体質量に対して、１〜１５ｍａｓｓ％の粘度指数を改善するポリマーを含むことができる。
【００８９】
潤滑組成物に加えて、本発明はまた、この潤滑組成物の使用に関する。特に、本発明は、車両エンジンの潤滑のための、特に、ハイブリッド車両のエンジンの潤滑のための、本発明に係る潤滑組成物の使用に関する。
【００９０】
好ましくは、本発明に係る潤滑組成物の使用により、車両エンジンの潤滑を改善することができる。特に好ましくは、本発明に係る潤滑組成物の使用により、欧州サイクルＮＥＤＣに従って規定された市街地モードの際、又は欧州サイクルＷＬＴＰに従って規定された市街地モード、又はさらに欧州サイクルＥＣＥに従合って規定されたコールドモードの際に、車両エンジンの潤滑を改善することができる。
【００９１】
本発明はまた、潤滑剤の燃料節約（ＦＥ）を改善するための、本発明に係る潤滑組成物の使用に関する。
【００９２】
本発明はまた、エンジン、特に車両エンジン、特にハイブリッド車両のエンジンの燃焼消費を低減するための、本発明に係る潤滑組成物の使用に関する。
【００９３】
本発明によれば、本発明に係る潤滑組成物の特定の、有利な又は好ましい特徴は、特定の、有利な又は好ましい本発明に係る使用を規定することができる。
【００９４】
本発明の様々な態様を、以下の例により示すことができる。
【実施例】
【００９５】
例１：本発明に係る潤滑組成物の調製
本発明に係る潤滑組成物の様々な成分は、表１に示される製品の量及び性質に応じて混合される。
【００９６】
【表２】
0006799006.tif 000017
【００９７】
本発明に係るこれらの潤滑組成物の特性を表２に示す。
【００９８】
【表３】
0006799006.tif 000018
【００９９】
例２：比較の潤滑組成物の調製
製品の量及び性質に従って比較の潤滑組成物の様々な成分を表３に示した。
【０１００】
【表４】
0006799006.tif 000019
【０１０１】
第１の比較の潤滑組成物（ＣＣ１)は、櫛型ポリメタクリレートを含まず、直鎖状ポリメタクリレートを含む。第２の比較の潤滑組成物（ＣＣ２）は、グループＶの油を含まず、グループＩＶの油のみを含んでいる。これらの比較の潤滑組成物の特性を表４に示す。
【０１０２】
【表５】
0006799006.tif 000020
【０１０３】
例３：本発明に係る潤滑組成物（ＣＬ２及びＣＬ４）と、比較の潤滑組成物（ＣＣ１）との燃料節約性能の評価
国際公開第２０１２−０２５９０１号の例に記載された条件に従った幾つかの試験の際に、本発明に係る潤滑組成物により潤滑した際の燃料消費を、対照潤滑組成物（基油と、本発明に係る組成物の添加剤パッケージと同様の添加剤パッケージ−ＳＡＥＪ３００等級５Ｗ３０）の使用の際の燃料消費と比較した。燃料消費の増加を、この対照潤滑組成物の使用から生じた燃料消費を参照することで評価した。得られた結果を表５に示す。
【０１０４】
【表６】
0006799006.tif 000021
【０１０５】
本発明に係る潤滑組成物ＣＬ２及びＣＬ４は、極めて有意な燃料消費の増加を得ることができることが理解される。したがって、本発明に係る潤滑組成物ＣＬ２は、櫛型ポリメタクリレートを含まない比較の潤滑組成物ＣＣ１を用いて得られたものより大きい増加を得た。さらに、ＰＡＧタイプのグループＶの油を含む本発明に係る潤滑組成物ＣＬ４は、有意な増加を得た。
【０１０６】
より具体的には、本発明に係るこれらの潤滑組成物は、低温かつ低エンジン速度でのエンジンサイクルで、極めて有意な燃料節約の増加を得て、それは、市街地条件の下でさらにより有意な燃料節約を得ることについて、本発明に係るこれらの潤滑組成物の利益を示している。
【０１０７】
例４：本発明に係る潤滑組成物（ＣＬ１、ＣＬ２及びＣＬ３）と、比較の潤滑組成物（ＣＣ２）とのトラクション係数の性能の評価
潤滑組成物のトラクション係数を評価して、得られた結果を表６に示す。
【０１０８】
【表７】
0006799006.tif 000022
【０１０９】
したがって、本発明に係る潤滑組成物は、極めて良好なトラクション係数を有する。これらの結果は、本発明に係る潤滑組成物が、本発明に係るＰＡＯ及び櫛型ポリマーを含むが、本発明に係るグループＶの油を含まない比較の潤滑組成物に比べて、摩擦係数を低減することができ、したがって、燃料節約の増加を改善することができることが確認され、これは、異なるグループＶの油の含有量を含む場合でも確認された。
【０１１０】
例５：本発明に係る潤滑組成物（ＣＬ１、ＣＬ２、ＣＬ３及びＣＬ４）と、比較の潤滑組成物（ＣＣ２）とのエンジン清浄度性能の評価
エンジン清浄度特性を、ＡＳＴＭ  Ｄ７０９７標準に従ったＴＥＯＳＴ  ＭＨＴ試験により評価し、得られた結果を表７に示し、ミリグラムで表した。特に多くの自動車製造者のための最大許容値は、等級０Ｗｘｘの油についてのＩＬＳＡＣ分類に従って３５ｍｇである。
【０１１１】
【表８】
0006799006.tif 000023
【０１１２】
したがって、本発明に係る潤滑組成物は、良好なエンジン清浄度を保持することができ、又はさらにエンジン清浄度を改善し、自動車産業により設定された制限に準拠することができる。エンジン清浄度のこれらの良好な結果は、本発明に係るグループＶの油の様々な量で得られることに留意すべきである。
本開示は以下も包含する。
［１］
式（Ｉ）
（Ｘ）Ｗ（Ｙ）                                
（Ｉ）                                    
により規定され、式中、
・Ｘが０又は５を示し、
・Ｙが４〜２０の範囲の整数を示す
ＳＡＥＪ３００分類に従った等級の潤滑組成物であって、
（ａ）ＡＳＴＭ  Ｄ４４５標準に従って１００℃で測定した場合に、動粘度が１．５〜８ｍｍ2／ｓの範囲である、少なくとも１つのポリアルファオレフィン油（ＰＡＯ）と、
（ｂ）ＡＳＴＭ  Ｄ４４５標準に従って１００℃で測定した場合に、動粘度が１．５〜８ｍｍ2／ｓの範囲である、前記組成物の１０〜８０ｗｔ％の少なくとも１つのグループＶの油と、
（ｃ）３つの側鎖が５０個以上の炭素原子を含み、かつ、少なくとも１つのポリオレフィンと少なくとも１つのポリ（アルキル）メタクリレートとのコポリマー；少なくとも１つのポリオレフィンと少なくとも１つのポリ（アルキル）アクリレートとのコポリマーから選択される、少なくとも１つの櫛型ポリマーと
を含む、潤滑組成物。
［２］
０Ｗ４、０Ｗ８、０Ｗ１２、０Ｗ１６、０Ｗ２０、５Ｗ４、５Ｗ８、５Ｗ１２、５Ｗ１６、５Ｗ２０から選択される、ＳＡＥＪ３００分類に従った等級の、上記態様１に記載の潤滑組成物。
［３］
ＡＳＴＭ  Ｄ４４５標準に従って４０℃で測定した場合に、動粘度が１２〜３０ｍｍ2／ｓ、好ましくは１４〜２５ｍｍ2／ｓの範囲である、上記態様１又は２に記載の潤滑組成物。
［４］
前記ＰＡＯの動粘度が、ＡＳＴＭ  Ｄ４４５標準に従って１００℃で測定した場合に、１．５〜６ｍｍ2／ｓ、又は２〜８ｍｍ2／ｓ、又はさらに２〜６ｍｍ2／ｓの範囲である、上記態様１〜３のいずれかに記載の潤滑組成物。
［５］
前記ＰＡＯの平均重量分子量が５００Ｄａ未満であるか、又は５０〜５００Ｄａの範囲であるか、又は５０〜３５０Ｄａ若しくは５０〜３００Ｄａの範囲である、上記態様１〜４のいずれかに記載の潤滑組成物。
［６］
前記組成物の２０〜８０ｗｔ％、３０〜６０ｗｔ％、又は３５〜４５ｗｔ％の前記グループＶの油を含む、上記態様１〜５のいずれかに記載の潤滑組成物。
［７］
前記グループＶの油が、モノエステル、ポリアルキレングリコール（ＰＡＧ）から選択される、上記態様１〜６のいずれかに記載の潤滑組成物。
［８］
前記グループＶの油が、
式（Ｂ１）
【化１】
0006799006.tif 000024
のモノエステルであって、式中、
・Ｒ1が、１４〜２４個の炭素原子を含む、直鎖状又は分枝状の、飽和又は不飽和の炭化水素基を示し、
・Ｒ2が、２〜１８個の炭素原子を含む、直鎖状又は分枝状の、飽和又は不飽和の炭化水素基を示す
モノエステルと、
式（Ｂ２）
【化２】
0006799006.tif 000025
のポリアルキレングリコール（ＰＡＧ）であって、式中、
・Ｒ3が、直鎖状又は分枝状のＣ1〜Ｃ30アルキル基を示し、
・ｍ及びｎが、独立して、１〜５の範囲の平均数を示す
ポリアルキレングリコール（ＰＡＧ）とから選択される、上記態様１〜７のいずれかに記載の潤滑組成物。
［９］
前記側鎖が、オレフィン、好ましくは８〜１７個の炭素原子を含むオレフィン、及びスチレン、置換スチレン、１，４付加のブタジエン、１，２付加のブタジエン、式（Ｃ１）の化合物であって、
【化３】
0006799006.tif 000026
式中、Ｑ1及びＱ2が、独立して、水素原子又はＣ1〜Ｃ18アルキル基を示す式（Ｃ１）の化合物から選択されるオレフィンの重合又は共重合により得られる櫛型ポリマーである、上記態様１〜８のいずれかに記載の潤滑組成物。
［１０］
前記櫛型ポリマーが、
式（Ｃ２）
【化４】
0006799006.tif 000027
のオレフィン系モノマーであって、式中、
・Ｑ3が、直鎖状又は分枝状のＣ2〜Ｃ8アルキル基、Ｃ3〜Ｃ8シクロアルキル基、Ｃ6〜Ｃ10アリール基を示し、
・Ｑ4が、水素原子又はメチル基を示し、
・Ｌ1が、ブタジエンの１，４付加体の残基；少なくとも１つのＣ1〜Ｃ6アルキル基で置換されたブタジエンの１，４付加体の残基；スチレンのビニル付加体の残基；少なくとも１つのＣ1〜Ｃ6アルキル基で置換されたスチレンのビニル付加体の残基を示し、
・Ｌ2が、ブタジエンのビニル付加体の残基；Ｃ1〜Ｃ6アルキル基で置換されたブタジエンのビニル付加体の残基；スチレンのビニル付加体の残基；少なくとも１つのＣ1〜Ｃ6アルキル基で置換されたスチレンのビニル付加体の残基を示し、
・ｋ及びｊが、独立して、０又は１〜３０００の範囲の整数を示し、合計（ｋ＋ｊ）が、７〜３０００の範囲、好ましくは１０〜３０００の範囲の整数である
オレフィン系モノマーと、
式（Ｃ３）
【化５】
0006799006.tif 000028
のアルキルアクリル酸エステル又はアルキルメタクリル酸エステルのモノマーであって、式中、
・Ｑ5が、水素原子又はメチル基を示し、
・Ｑ6が、直鎖状又は分枝状のＣ1〜Ｃ26アルキル基を示す
アルキルアクリル酸エステル又はアルキルメタクリル酸エステルのモノマーとの共重合により調製された、上記態様１〜９のいずれかに記載の潤滑組成物。
［１１］
前記櫛型ポリマーが、
式（Ｃ４）
【化６】
0006799006.tif 000029
のオレフィン系モノマーであって、式中、
・Ｑ7がＣ1〜Ｃ6アルキル基、Ｃ6アリール基を示し、
・Ｑ8が、水素原子又はメチル基を示し、
・Ｑ9、Ｑ10及びＱ11が、独立して、水素原子又はＣ1〜Ｃ18アルキル基を示し、
・ｘ、ｙ及びｚが、独立して、０又は１〜３０００の範囲の整数を示し、合計（ｘ＋ｙ＋ｚ）が、７〜３０００の範囲、好ましくは１０〜３０００の範囲の整数である
オレフィン系モノマーと、
式（Ｃ３）
【化７】
0006799006.tif 000030
のアルキルアクリル酸エステル又はアルキルメタクリル酸エステルのモノマーであって、式中、
・Ｑ5が、水素原子又はメチル基を示し、
・Ｑ6が、直鎖状又は分枝状のＣ1〜Ｃ26アルキル基を示す
アルキルアクリル酸エステル又はアルキルメタクリル酸エステルのモノマーとの共重合により調製された、上記態様１〜１０のいずれかに記載の潤滑組成物。
［１２］
前記ポリアルファオレフィン油（ＰＡＯ）（ａ）と前記グループＶの油（ｂ）との間の重量比（ａ／ｂ）が、０．１〜４、好ましくは０．３〜３．６の範囲である、上記態様１〜１１のいずれかに記載の潤滑組成物。
［１３］
ＶＩが２２０超、好ましくは２５０超、又はさらに２７０超若しくは３００超である、上記態様１〜１２のいずれかに記載の潤滑組成物。
［１４］
車両エンジンの潤滑のための、又は、欧州サイクルＮＥＤＣに従った市街地モードの際の車両エンジンの潤滑を改善するための、上記態様１〜１３のいずれかに記載の潤滑組成物の使用。
［１５］
車両エンジンの潤滑のための、又は、欧州サイクルＷＬＴＰに従った市街地モードの際の車両エンジンの潤滑を改善するための、上記態様１〜１３のいずれかに記載の潤滑組成物の使用。
［１６］
車両エンジンの潤滑のための、又は、欧州サイクルＥＣＥに従ったコールドモードの際の車両エンジンの潤滑を改善するための、上記態様１〜１３のいずれかに記載の潤滑組成物の使用。
［１７］
ハイブリッド車両のエンジンを潤滑するための、上記態様１４〜１６のいずれかに記載の使用。
［１８］
潤滑剤の燃料節約（ＦＥ）を改善するための、又は、エンジン、特に車両エンジン、特にハイブリッド車両のエンジンの燃料消費を低減するための、上記態様１〜１７のいずれかに記載の潤滑組成物の使用。